(57)【要約】【課題】  例えば腕時計、補聴器などのウェアラブル機器、ＩＣチップなどの情報部品、ＰＤＡなどの携帯情報端末、電子式卓上計算機などの事務機器、またはペースメーカなどの生体内に埋め込む埋込機器、または玩具などのアミューズメント機器等の電子機器に備える充電電池ユニットにおいて、組み立て時の作業性を向上する。【解決手段】  腕時計１０の電池収納空間１２には、充電電池ユニット１３を備える。その充電電池ユニットは、電極１４ａ、１４ｂを有するユニットケース１５内に、充電器の磁束で起電力を発生する電磁誘導回路１６と、その電磁誘導回路の起電力で繰り返し充電する蓄電部１７とを備える。その蓄電部１７には例えば電気二重層コンデンサを用いる。【選択図】        図１
2005176494.tif 000002
【特許請求の範囲】
【請求項１】
電極を有するユニットケース内に、充電器の磁束で起電力を発生する電磁誘導回路と、その電磁誘導回路の起電力で繰り返し充電する蓄電部とを備えることを特徴とする、充電電池ユニット。
【請求項２】
密封型の前記ユニットケースを備えることを特徴とする、請求項１に記載の充電電池ユニット。
【請求項３】
前記電磁誘導回路が、電子回路と充電用コイルとを備えることを特徴とする、請求項１または２に記載の充電電池ユニット。
【請求項４】
個別に形成した前記蓄電部と前記電子回路とを前記ユニットケース内に備えることを特徴とする、請求項３に記載の充電電池ユニット。
【請求項５】
一体的に形成した前記蓄電部と前記電子回路とを前記ユニットケース内に備えることを特徴とする、請求項３に記載の充電電池ユニット。
【請求項６】
前記蓄電部が、電気二重層コンデンサであることを特徴とする、請求項１ないし５のいずれか１に記載の充電電池ユニット。
【請求項７】
前記充電用コイルを磁性シートで被うことを特徴とする、請求項３ないし６のいずれか１に記載の充電電池ユニット。
【請求項８】
前記電子回路が、データ送受信用アンテナとデータ送受信部とデータ蓄積部を備えることを特徴とする、請求項３ないし７のいずれか１に記載の充電電池ユニット。
【請求項９】
前記充電用コイルを前記データ送受信用アンテナとしても用いることを特徴とする、請求項３ないし８のいずれか１に記載の充電電池ユニット。
【請求項１０】
前記データ送受信用アンテナを磁性シートで被うことを特徴とする、請求項９に記載の充電電池ユニット。
【請求項１１】
請求項１ないし１０のいずれか１に記載の充電電池ユニットと、前記ユニットケース外から充電電池ユニットの前記電磁誘導回路に起電力を発生して、その起電力で前記蓄電部を繰り返し充電する充電器とを備えることを特徴とする、充電装置。
【請求項１２】
データ伝送機能を備えることを特徴とする、請求項１１に記載の充電装置。
【請求項１３】
請求項１ないし１０のいずれか１に記載の充電電池ユニットを備えることを特徴とする、電子機器。
【発明の詳細な説明】
【技術分野】
【０００１】
この発明は、例えば腕時計、補聴器などのウェアラブル機器、ＩＣチップなどの情報部品、ＰＤＡ（Personal  Digital  Assistants）などの携帯情報端末、電子式卓上計算機などの事務機器、ペースメーカなどの生体内に埋め込む埋込機器、または玩具などのアミューズメント機器等の電子機器に関する。そのような電子機器に備える充電電池ユニットに関する。および、そのような充電電池ユニットと、その充電電池ユニット内の蓄電部を繰り返し充電する充電器とを備える充電装置に関する。
【背景技術】
【０００２】
従来の電子機器、例えば腕時計の中には、図６に示すように、時計ケースの裏ブタ１内に、例えば二次コイル（充電用コイル）２と、その二次コイル２に接続する電子回路３と、その電子回路３に接続する蓄電池４と、その蓄電池４に接続する時計駆動回路５などをを備えるものがあった。
【０００３】
蓄電池４には、例えばニッケル・カドミウム電池やリチウムイオン電池などを用いていた。
【０００４】
その腕時計は、組み立て時、二次コイル２、電子回路３、蓄電池４、時計駆動回路５などを、例えばネジなどの取付部材を用いて、裏ブタ１の内側にある不図示の地板に個々に取り付けていた。
【０００５】
そのような腕時計は、組み立て後、蓄電池４の電力で時計駆動回路５を駆動して、不図示の針などを回転していた。
【０００６】
やがて、時計駆動回路５の駆動により蓄電池４に蓄えていた電気エネルギが減少すると、腕時計を、例えばテーブルタイプの充電器６の充電テーブル７にセットする。
【０００７】
そして、充電器６の一次コイル８に一次電流を通して、一次コイルに磁束を発生し、その磁束で電磁誘導により図７に示すように二次コイル２に二次電流を発生して起電力を発生し、その起電力を電子回路３を介して蓄電池４に伝達して繰り返し充電していた。
【特許文献１】特開平１１−９８７１５号公報
【特許文献２】特開平１１−２１８５８７号公報
【特許文献３】特開２０００−３０６０６１号公報
【特許文献４】特開２００２−３２０３４３号公報
【特許文献５】特開２００３−４７１６３号公報
【発明の開示】
【発明が解決しようとする課題】
【０００８】
しかし、そのような図６に示す腕時計は、組み立て時、二次コイル２、電子回路３、蓄電池４、時計駆動回路５などを、それぞれの取付部材を用いて、地板に個々に取り付けるので、作業性が悪い問題があった。
【０００９】
そこで、この発明の第１の目的は、組み立て時の作業性を向上することにある。
【００１０】
この発明の第２の目的は、従来の例えばニッケル・カドミウム電池やリチウムイオン電池に比し、蓄電部の寿命を長くすることにある。
【００１１】
この発明の第３の目的は、充電時間を短くすることにある。
【００１２】
この発明の第４の目的は、充電電池ユニットに付加機能を持たせることにある。
【００１３】
この発明の第５の目的は、充電電池ユニットを小型化することにある。
【００１４】
この発明の第６の目的は、充電電池ユニットのデータ送受信距離を、長くすることにある。
【００１５】
この発明の第７の目的は、充電装置にあって、充電電池ユニットの組み立て時の作業性を向上することにある。
【００１６】
この発明の第８の目的は、付加機能を備える充電装置を提供することにある。
【００１７】
この発明の第９の目的は、第１から第６の目的を達成した充電電池ユニットを備える電子機器を提供することにある。
【課題を解決するための手段】
【００１８】
そのため、請求項１に記載の発明は、上述した第１の目的を達成すべく、
充電電池ユニットにおいて、
電極を有するユニットケース内に、充電器の磁束で起電力を発生する電磁誘導回路と、その電磁誘導回路の起電力で繰り返し充電する蓄電部とを備えることを特徴とする。
【００１９】
請求項２に記載の発明は、上述した第１の目的を達成すべく、
請求項１に記載の充電電池ユニットにおいて、
密封型のユニットケースを備えることを特徴とする。
【００２０】
請求項３に記載の発明は、上述した第１の目的を達成すべく、
請求項１または２に記載の充電電池ユニットにおいて、
電磁誘導回路が、電子回路と充電用コイルとを備えることを特徴とする。
【００２１】
請求項４に記載の発明は、上述した第１の目的を達成すべく、
請求項３に記載の充電電池ユニットにおいて、
個別に形成した蓄電部と電子回路とをユニットケース内に備えることを特徴とする。
【００２２】
請求項５に記載の発明は、上述した第１の目的を達成すべく、
請求項３に記載の充電電池ユニットにおいて、
一体的に形成した蓄電部と電子回路とをユニットケース内に備えることを特徴とする。
【００２３】
請求項６に記載の発明は、上述した第２の目的も達成すべく、
請求項１ないし５のいずれか１に記載の充電電池ユニットにおいて、
蓄電部が、電気二重層コンデンサであることを特徴とする。
【００２４】
請求項７に記載の発明は、上述した第３の目的も達成すべく、
請求項３ないし６のいずれか１に記載の充電電池ユニットにおいて、
充電用コイルを磁性シートで被うことを特徴とする。
【００２５】
請求項８に記載の発明は、上述した第４の目的も達成すべく、
請求項３ないし７のいずれか１に記載の充電電池ユニットにおいて、
電子回路が、データ送受信用アンテナとデータ送受信部とデータ蓄積部を備えることを特徴とする。
【００２６】
請求項９に記載の発明は、上述した第５の目的も達成すべく、
請求項３ないし８のいずれか１に記載の充電電池ユニットにおいて、
充電用コイルをデータ送受信用アンテナとしても用いることを特徴とする。
【００２７】
請求項１０に記載の発明は、上述した第６の目的も達成すべく、
請求項９に記載の充電電池ユニットにおいて、
データ送受信用アンテナを磁性シートで被うことを特徴とする。
【００２８】
請求項１１に記載の発明は、上述した第７の目的を達成すべく、
充電装置において、
請求項１ないし１０のいずれか１に記載の充電電池ユニットと、ユニットケース外から充電電池ユニットの電磁誘導回路に起電力を発生して、その起電力で蓄電部を繰り返し充電する充電器とを備えることを特徴とする。
【００２９】
請求項１２に記載の発明は、上述した第８の目的も達成すべく、
請求項１１に記載の充電装置において、
データ伝送機能を備えることを特徴とする。
【００３０】
請求項１３に記載の発明は、上述した第９の目的を達成すべく、
電子機器において、
請求項１ないし１０のいずれか１に記載の充電電池ユニットを備える、ことを特徴とする。
【発明の効果】
【００３１】
この発明によれば、充電電池ユニットにあって、電極を有するユニットケース内に、充電器の磁束で起電力を発生する電磁誘導回路と、その電磁誘導回路の起電力で繰り返し充電する蓄電部とを備えるので、組み立て時、ユニットケースを機器本体に取り付ければ、電磁誘導回路と蓄電部とを一括して機器本体に取り付けることができるから、作業性を向上することができる。
【００３２】
請求項６に係る発明によれば、充電電池ユニットにあって、蓄電部が、電気二重層コンデンサであるので、ニッケル・カドミウム電池やリチウムイオン電池に比し、化学反応型でなく電荷移動型であるから、充放電サイクルによる劣化を少なくして、充放電サイクル
の回数を増加でき、蓄電部の寿命を長くすることができる。
【００３３】
加えて、そのように蓄電部を電気二重層コンデンサとするので、従来のニッケル・カドミウム電池やリチウムイオン電池に比し、二次電流の許容値を大きくすることができるから、充電時間を短くすることができる。
【００３４】
さらに加えて、そのように蓄電部を電気二重層コンデンサとするので、有害な重金属、例えばカドミウムなどを使用することなしに製造することが可能であるので、環境にやさしい充電電池ユニットを提供することができる。
【００３５】
さらに加えて、そのように蓄電部を電気二重層コンデンサとするので、従来のニッケル・カドミウム電池やリチウムイオン電池において、充電した電気エネルギを完全に使い切る前に、再充電した際、電圧が従来に比して低くなる、いわゆるメモリ効果をなくすことができる。
【００３６】
請求項７に係る発明によれば、充電電池ユニットにあって、充電用コイルを磁性シートで被うので、磁束密度を高くして充電用コイルに発生する二次電流を増加できるから、充電時間を短くすることができる。
【００３７】
請求項８に係る発明によれば、充電電池ユニットにあって、電子回路が、データ送受信用アンテナとデータ送受信部とデータ蓄積部を備えるので、データ蓄積部に蓄積している情報を、データ送受信用アンテナやデータ送受信部を介して、外部機器に送信することができ、例えば蓄電部の電圧や充電量や充電の回数などの電池情報やユニットのＩＤなどの情報を外部機器に送信して、その外部機器を介して知ることができるから、充電電池ユニットに付加機能を持たせることができる。
【００３８】
加えて、外部機器からユニットのデータ蓄積部で蓄積するデータの変更や、新たなデータを書き込むことにより蓄積できるので、充電電池ユニットの特性や機器のマッチング等が有効に行える。もちろん個別ＩＤや所有者のパーソナル情報等の電池情報等以外のデータを蓄積することもできる。
【００３９】
よって、そのような充電電池ユニットを電子機器に備えれば、データ蓄積部で蓄積するデータにより、認証装置としても適用できるなど電子機器の付加価値を高くすることができる。また、そのような充電電池ユニットを用いれば、ユビキタス社会への展開と貢献を可能とすることができる。そのような充電電池ユニットは、例えば腕時計、補聴器などのウェアラブル機器、ＩＣチップなどの情報部品、ＰＤＡ（Personal  Digital  Assistants）などの携帯情報端末、電子式卓上計算機などの事務機器、ペースメーカなどの生体内に埋め込む埋込機器、または玩具などのアミューズメント機器等の電子機器に適用することができる。
【００４０】
さらに加えて、電子回路が、データ送受信用アンテナとデータ送受信部とデータ蓄積部を備え、充電電池ユニット内に蓄電部を備えれば、例えばＩＣカードなどの電池を有していない一般のタグに比し、蓄電部でデータ送受信用アンテナより送信する例えば無線電波を強くすることができ、および蓄電部でデータ送受信用アンテナより受信する例えば無線電波を増幅することができるから、充電電池ユニットのデータ送受信距離を長くすることができる。
【００４１】
請求項９に係る発明によれば、充電電池ユニットにあって、充電用コイルをデータ送受信用アンテナとしても用いるので、データ送受信用アンテナを別途用いることを不要とするから、充電電池ユニットを小型化することができる。
【００４２】
請求項１０に係る発明によれば、充電電池ユニットにあって、データ送受信用アンテナを磁性シートで被うので、データ送受信時、データ送受信用アンテナから送信、または受信する例えば無線電波などを強くすることができるから、データ送受信距離を長くすることができる。
【００４３】
請求項１１に係る発明によれば、充電装置にあって、請求項１ないし１０のいずれか１に記載の充電電池ユニットと、ユニットケース外から充電電池ユニットの電磁誘導回路に起電力を発生して、その起電力で蓄電部を繰り返し充電する充電器とを備えるので、組み立て時、ユニットケースを機器本体に取り付ければ、電磁誘導回路と蓄電部とを一括して機器本体に取り付けることができるから、作業性を向上することができる。
【００４４】
加えて、充電時、充電電池ユニットに充電器を近付け、充電器の磁束で電磁誘導回路に起電力を発生し、その起電力で蓄電部を繰り返し充電することができるから、充電電池ユニット内の蓄電部を繰り返し充電できる充電装置を提供することができる。
【００４５】
さらに加えて、充電電池ユニットの外形を、従来のコイン型の電池、ボタン型の電池、例えば乾電池などの円筒形の電池の外形と同一にし、それら従来の電池が有する電極の位置に充電電池ユニットの電極位置を合わせる場合、それら従来の電池を、この発明が備える充電電池ユニットに交換すれば、その充電電池ユニットを充電することにより電池交換を不要とすることができる。
【００４６】
請求項１２に係る発明によれば、充電装置がデータ伝送機能を備えるので、充電装置に付加機能を持たせることができる。
【００４７】
請求項１３に係る発明によれば、電子機器にあって、請求項１ないし１０のいずれか１に記載の充電電池ユニットを備えるので、請求項１ないし１０に記載した効果を有する充電電池ユニットを備える電子機器を提供することができる。
【発明を実施するための最良の形態】
【００４８】
以下、図面を参照しつつ、この発明の実施の最良形態について説明する。
図１には、この発明による電子機器の一例である腕時計の内部構成の一部を示す。
【００４９】
図中符号１０は腕時計、１１はその腕時計１０の時計ケースの裏ブタの一部である。裏ブタ１１は、例えばチタン、ＳＵＳ、樹脂などの非磁性材料で作る。腕時計１０の内部には、不図示の針を回転する時計駆動回路３１を不図示の地板等で支持して設ける。また、腕時計１０の裏ブタ１１の内側には、電池収納空間１２を設ける。
【００５０】
その電池収納空間１２内には、充電電池ユニット１３を備える。その充電電池ユニット１３は、図２に示すように、例えばプラス電極（電極）１４ａとマイナス電極（電極）１４ｂを有するユニットケース１５を備える。なお、ユニットケース１５は、封止を施した密封型のものを用いるのが好ましい。
【００５１】
ユニットケース１５の形状は、図示例では、例えば直径２０ｍｍ、厚さ２ｍｍとし、いわゆる２０２０コイン型のもので説明するが、ボタン型や乾電池と同様の円筒型としても良い。なお、ユニットケース１５の形状は、シート状やその他の形状としても良い。
【００５２】
また、ユニットケース１５が有する電極１４ａ、１４ｂ位置も従来のコイン型の電池に合わせているが、この発明による充電電池ユニット１３の電極１４ａ、１４ｂ位置は、それに限られない。
【００５３】
そのようなユニットケースが備える電極１４ａ、および１４ｂは、例えばカーボンを用いて形成する。なお、カーボンに代えて、非磁性材料の金属材料を用いても良い。
【００５４】
そのようなユニットケース１５内には、後述する充電器の磁束で起電力を発生する電磁誘導回路１６と、その電磁誘導回路１６の起電力で繰り返し充電する例えば大容量コンデンサである蓄電部１７とを備える。
【００５５】
その蓄電部１７には例えば電気二重層コンデンサを用いる。その電気二重層コンデンサは、例えば希硫酸などの電解液と活性体とを混合して基本体を構成し、その基本体を複数、積層して形成する。
【００５６】
一方、電磁誘導回路１６は、二次コイル（充電用コイル）１８と電子回路１９とを備える。
【００５７】
二次コイル１８は、図示する例では、巻線タイプのものでコアなしのものであるが、コアありのものでも良い。もちろん、巻線タイプのものに代えて、ディスクタイプやシートタイプのものを用いても良い。また、二次コイル１８の製作時、いわゆるＭＥＭＳ（Micro Electro Mechanical System）、ＮＥＭＳ（Nano Electro Mechanical System）などの半導体微細加工技術やその他の微細加工技術を用いても良い。
【００５８】
なお、二次コイル１８は、後述するテーブルタイプの充電器から発生する磁束密度を高めるため、図１に示すように、腕時計１０の裏ブタ１１に近接して配置することが好ましい。
【００５９】
一方、電子回路１９は、図３に示すように、増幅回路・平滑回路などを有する第１フィルタ部２０、充電制御部２１、昇圧制御部２２、出力安定化部２３、過充電制御部２４、電圧検出部２５などを備える。
【００６０】
また、図示例の電子回路１９は、それらに加えて、データ蓄積部２６、データ処理部３０、データ送受信部２７、増幅回路などを有する第２フィルタ部２８なども備える。その第２フィルタ部２８には、例えばコイル型のアンテナコイル（データ送受信用アンテナ）２９を接続する。
【００６１】
なお、蓄電部１７と電子回路１９は、個別に形成しても良いし、一体的に形成しても良い。
【００６２】
このような図１に示す充電電池ユニット１３が備える蓄電部１７の電気仕様は、例えば、電流容量を１０ｍＡＨ相当とし、定格電流を３０ｍＡ以上とする。
【００６３】
さて、そのような充電電池ユニット１３を備える腕時計１０は、蓄電部１７の起電力で時計駆動回路３１を駆動して、不図示の針などを回転する。
【００６４】
やがて、時計駆動回路３１の駆動により蓄電部１７に蓄えていた電気エネルギが減少すると、例えば腕時計１０を外してから、図４に示すように、腕時計１０の裏ブタ１１に、ピストルタイプの充電器３３の銃の先を近付けて、充電電池ユニット１３に充電器３３を近付ける。
【００６５】
そして、腕時計１０と充電器３３とを例えば非接触としつつ、充電器３３内に備える一次コイル３４に一次電流を通して磁束を発生し、その磁束で電磁誘導により二次コイル１８に二次電流を発生して起電力を発生する。その起電力は、図３に示す電子回路１９、すなわち第１フィルタ部２０、充電制御部２１、昇圧制御部２２、出力安定化部２３を通して、蓄電部１７を充電する。
【００６６】
その充電した蓄電部１７の電圧は、電圧検出部２５でチェックする。
【００６７】
この充電のとき、出力安定化部２３の出力は、過充電制御部２４を介して電圧検出部２５に通して、それら過充電制御部２４、および電圧検出部２５でチェックする。
【００６８】
そして、充電中、過充電制御部２４、または電圧検出部２５で異常を検出した場合、受電制御部２１へ指令を送信して、充電を停止する。
【００６９】
また、この充電中、腕時計１０と充電器３３とを非接触としながら、電圧検出部２５で検出する例えば電圧や充電量や充電回数などの電池情報などのデータは、データ蓄積部２６に蓄積しつつ、データ処理部３０、データ送受信部２７、第２フィルタ部２８、アンテナコイル２９を介して、図４に示す充電器３３へ送信する。
【００７０】
そして、充電器３３は、不図示の表示装置に、その電池情報などのデータを表示する。よって、充電電池ユニット１３と充電器３３とを備える充電装置３５に、テータ伝送機能を備えることができる。従来の腕時計では、電池情報などを知るためには、外部機器と腕時計とをコードなどで接続する必要があったが、この腕時計１０は、例えば充電器３３などの外部機器と非接触としても電池情報などを知ることができる。
【００７１】
また、そのような充電器３３と充電電池ユニット１３とで構成する充電装置３５によって、充電電池ユニット１３内の蓄電部１７を繰り返し充電することができる。
【００７２】
なお、充電器３３の一次コイル３４には、不図示の電気二重層コンデンサを接続するのが好ましい。このようにすれば、充電器３３の一次コイル３４で発生する磁束を強くして二次コイル１８に発生する二次電流を強くすることができるので、蓄電部１７の電気エネルギがほぼ空となっている場合でも、１０分以内で、電気エネルギを満杯とすることができる。一方、図６や図７に示す従来の例えばニッケル・カドミウム電池やリチウムイオン電池などの蓄電部４では、空となっているものを満杯とするまでに、８〜３６時間を要する。
【００７３】
そして、そのように充電時間を短くできれば、図１に示す腕時計１０を装着したまま、充電することもできる。
【００７４】
また、この腕時計１０は、蓄電部１７に電気二重層コンデンサを用いているので、充放電サイクルの回数を数十万回以上とすることができ、事実上、無限とすることができる。一方、図６や図７に示す従来の例えばニッケル・カドミウム電池やリチウムイオン電池などの蓄電池４では、充放電サイクルの回数は、およそ２０〜５００回程度である。
【００７５】
よって、充放電サイクルの回数を大幅に増加することができれば、図１に示す充電電池ユニット１３を非交換とし、腕時計１０の裏ブタ１１を開放しない構造とする場合、時計ケースの密閉を高めて、防水性などを高くすることができる。
【００７６】
なお、上述した例では、充電器３３の形状をピストルタイプとしたが、この発明による充電器３３の形状はそれに限られず、例えば図６に示すテーブルタイプのものとしても良い。
【００７７】
そして、図示省略するが、充電時、テーブルタイプの充電器の充電テーブル上に、腕時計をセットして、上述したように蓄電部１７を充電する。
【００７８】
なお、図１および図４に示す二次コイル１８は、不図示の磁性シートで被うことが好ましい。このようにすれば、充電時、充電器３３で発生する磁束の密度を、二次コイル１８周辺で高くすることができるから、二次コイル１８に発生する二次電流を増加でき、充電時間を短くすることができる。
【００７９】
さて、このような腕時計１０の充電電池ユニット１３は、例えば図３で示したものに代えて図５で示すものとしても良い。なお、図５で示すものにおいて、図３で示したものと同様のものには同一の符号を付して説明を省略する。
【００８０】
図５に示すアンテナコイル３６は、図１に示す二次コイル１８を、電池情報を送受信するデータ送受信用アンテナとしても用いる。
【００８１】
また、図５に示すフィルタ部３７は、図３に示す第１フィルタ部２０および第２フィルタ部２８の役割を果たす。
【００８２】
よって、二次コイル１８をデータ送受信用アンテナのアンテナコイル３６として用いるので、アンテナを別途用いることを不要とするから、充電電池ユニット１３を小型化することができる。
【００８３】
また、その図５に示すアンテナコイル３６は、不図示の磁性シートで被うことが好ましい。このようにすれば、データ送受信時、アンテナコイル３６から送信、または受信する例えば無線電波などを強くすることができるから、データ送受信距離を長くすることができる。なお、図３に示すアンテナコイル２９を磁性シートで被っても、同様の効果を得ることができる。
【００８４】
なお、上述した例では、電子機器の一例である腕時計に充電電池ユニットを内蔵するもので説明したが、この発明は、腕時計に限らず電池を備えるあらゆる携帯型機器や装置に適用することができる。
【図面の簡単な説明】
【００８５】
【図１】この発明による電子機器の一例である腕時計の内部構成図の一部である。
【図２】その腕時計が備える充電電池ユニットの内部概略構成図である。
【図３】その充電電池ユニットのブロック図である。
【図４】その腕時計の充電時の説明図である。
【図５】この発明による別の充電電池ユニットのブロック図である。
【図６】従来の電子機器の一例である腕時計の説明図である。
【図７】その腕時計の一部の説明図である。
【符号の説明】
【００８６】
１３    充電電池ユニット
１４ａ  プラス電極（電極）
１４ｂ  マイナス電極（電極）
１５    ユニットケース
１６    電磁誘導回路
１７    蓄電部（電気二重層コンデンサ等の大容量コンデンサ）
１８、３６    二次コイル（充電用コイル）
１９    電子回路
２６    データ蓄積部
２７    データ送受信部
２９、３６    アンテナコイル（データ送受信用アンテナ）
３０    データ処理部
３３    充電器
３５    充電装置
【図１】
2005176494.tif 000003
【図２】
2005176494.tif 000004
【図３】
2005176494.tif 000005
【図４】
2005176494.tif 000006
【図５】
2005176494.tif 000007
【図６】
2005176494.tif 000008
【図７】
2005176494.tif 000009